(57)【特許請求の範囲】
【請求項１】
基板と、帯状をなして前記基板の表面を覆うように設けられる合成樹脂フィルムが巻回され両端部に上軸及び下軸を有するリールと、このリールを収容するケーシングを備え、そのケーシングの上下に前記リールの上軸及び下軸を支持する軸受けを備えたフィルム保持部と、前記フィルム保持部とは反対側に設けられて前記合成樹脂フィルムを巻き取る巻き取りリールと、前記フィルム保持部のリールに回転抵抗を与えるブレーキシューと、逆転阻止機能を有し前記巻き取りリールを前記合成樹脂フィルムの巻き取り方向に回転させる回転伝達機構とを備え、
前記ブレーキシューは、前記ケーシングの上面部内側と前記リールの上部との間に設けられるとともに、前記ケーシングの下側の軸受に備えられ軸方向に移動可能な軸受メタルがコイルスプリングにより常時上方に付勢された状態とされる一方、前記リールが装着される際には、前記軸受メタルが前記リールの下軸を受けることにより押し下げられて前記コイルスプリングが圧縮されるとともに、前記軸受メタルが前記コイルスプリングの復元力により上方に付勢されて前記リールの上軸が上側の軸受に挿入され、前記リールが上方に付勢された状態で支持されることにより前記ブレーキシューが圧接されて前記リールに回転抵抗が与えられることを特徴とする筆記用ボード。
【請求項２】
通気性を有する多孔質板から形成された基板と、帯状をなして前記基板の表面を覆うように設けられる合成樹脂フィルムが巻回され両端部に上軸及び下軸を有するリールと、このリールを収容するケーシングを備え、そのケーシングの上下に前記リールの上軸及び下軸を支持する軸受けを備えたフィルム保持部と、前記フィルム保持部とは反対側に設けられて前記合成樹脂フィルムを巻き取る巻き取りリールと、前記フィルム保持部のリールに回転抵抗を与えるブレーキシューと、逆転阻止機能を有し前記巻き取りリールを前記合成樹脂フィルムの巻き取り方向に回転させる回転伝達機構と、前記基板のうち前記フィルムが宛われる面とは反対側の面に設けられた吸気チャンバーと、この吸気チャンバーに連結されて前記基板の表面に宛がわれた前記フィルムを前記基板表面に吸着させる吸気装置とを備え、
前記ブレーキシューは、前記ケーシングの上面部内側と前記リールの上部との間に設けられるとともに、前記ケーシングの下側の軸受に備えられ軸方向に移動可能な軸受メタルがコイルスプリングにより常時上方に付勢された状態とされる一方、前記リールが装着される際には、前記軸受メタルが前記リールの下軸を受けることにより押し下げられて前記コイルスプリングが圧縮されるとともに、前記軸受メタルが前記コイルスプリングの復元力により上方に付勢されて前記リールの上軸が上側の軸受に挿入され、前記リールが上方に付勢された状態で支持されることにより前記ブレーキシューが圧接されて前記リールに回転抵抗が与えられることを特徴とする筆記用ボード。
【発明の詳細な説明】
【０００１】
【産業上の利用分野】
本発明は筆記用ボードの改良に関する。
【０００２】
【従来の技術】
大形の筆記用ボードとして、従来、チョークを使用する黒板が提供されているが、これは筆記時や消去時にチョーク粉末が飛び散って周囲を汚すという欠点が指摘されている。そこで、樹脂コーティングした基板にフェルトペン等によって筆記する、いわゆるホワイトボードが開発されている。
【０００３】
【発明が解決しようとする課題】
しかしながら、従来のホワイトボードでは、フェルトペンによって基板表面に書いた文字等を一挙に消去したい場合には、イレイザー（黒板消し）によって基板表面の全域を擦って消去しなくてはならず、その手間が煩わしいという問題があった。しかも、長い年月の間使用を続けると基板表面が劣化して樹脂コーティング層に微細なクラックが発生し、ここにインクが染み込むようになって文字の消去が完全にできなくなるというおそれもある。
【０００４】
本発明は上記事情に鑑みなされたもので、文字消去に手間が掛からず、しかも経時的な品質劣化も防止できる筆記用ボードを提供することを目的とする。
【０００５】
【課題を解決するための手段】
本発明の筆記用ボードは、基板と、帯状をなして前記基板の表面を覆うように設けられる合成樹脂フィルムが巻回され両端部に上軸及び下軸を有するリールと、このリールを収容するケーシングを備え、そのケーシングの上下に前記リールの上軸及び下軸を支持する軸受けを備えたフィルム保持部と、前記フィルム保持部とは反対側に設けられて前記合成樹脂フィルムを巻き取る巻き取りリールと、前記フィルム保持部のリールに回転抵抗を与えるブレーキシューと、逆転阻止機能を有し前記巻き取りリールを前記合成樹脂フィルムの巻き取り方向に回転させる回転伝達機構とを備え、前記ブレーキシューは、前記ケーシングの上面部内側と前記リールの上部との間に設けられるとともに、前記ケーシングの下側の軸受に備えられ軸方向に移動可能な軸受メタルがコイルスプリングにより常時上方に付勢された状態とされる一方、前記リールが装着される際には、前記軸受メタルが前記リールの下軸を受けることにより押し下げられて前記コイルスプリングが圧縮されるとともに、前記軸受メタルが前記コイルスプリングの復元力により上方に付勢されて前記リールの上軸が上側の軸受に挿入され、前記リールが上方に付勢された状態で支持されることにより前記ブレーキシューが圧接されて前記リールに回転抵抗が与えられるところに特徴を有する（請求項１の発明）。
【０００６】
また、通気性を有する多孔質板から形成された基板と、帯状をなして前記基板の表面を覆うように設けられる合成樹脂フィルムが巻回され両端部に上軸及び下軸を有するリールと、このリールを収容するケーシングを備え、そのケーシングの上下に前記リールの上軸及び下軸を支持する軸受けを備えたフィルム保持部と、前記フィルム保持部とは反対側に設けられて前記合成樹脂フィルムを巻き取る巻き取りリールと、前記フィルム保持部のリールに回転抵抗を与えるブレーキシューと、逆転阻止機能を有し前記巻き取りリールを前記合成樹脂フィルムの巻き取り方向に回転させる回転伝達機構と、前記基板のうち前記フィルムが宛われる面とは反対側の面に設けられた吸気チャンバーと、この吸気チャンバーに連結されて前記基板の表面に宛がわれた前記フィルムを前記基板表面に吸着させる吸気装置とを備え、前記ブレーキシューは、前記ケーシングの上面部内側と前記リールの上部との間に設けられるとともに、前記ケーシングの下側の軸受に備えられ軸方向に移動可能な軸受メタルがコイルスプリングにより常時上方に付勢された状態とされる一方、前記リールが装着される際には、前記軸受メタルが前記リールの下軸を受けることにより押し下げられて前記コイルスプリングが圧縮されるとともに、前記軸受メタルが前記コイルスプリングの復元力により上方に付勢されて前記リールの上軸が上側の軸受に挿入され、前記リールが上方に付勢された状態で支持されることにより前記ブレーキシューが圧接されて前記リールに回転抵抗が与えられるところに特徴を有する（請求項２の発明）。
【０００７】
【作用】
本発明の筆記用ボードによれば、合成樹脂フィルム表面に筆記具によって筆記する。筆記時、合成樹脂フィルムは基板によって裏側から支えられた状態となっているから、合成樹脂フィルムが柔軟であっても、筆記の妨げになることはない。また、フェルトペン等で筆記した後に全体を消去しようとする場合には、新たな合成樹脂フィルムを引き出して基板の表面を覆うようにセットすれば、新しい合成樹脂フィルムによって文字が書かれていない状態に戻る。一方、これらの文字を部分的に消去しようとする場合には、例えば、イレイザーにて消去部分を擦ればよい。
さらに、本発明の筆記用ボードは、ケーシングの下側の軸受に備えられ軸方向に移動可能な軸受メタルがコイルスプリングにより常時上方に付勢された状態とされている。そして、リールが装着される際には、軸受メタルがリールの下軸を受けることにより押し下げられてコイルスプリングが圧縮され、軸受メタルがコイルスプリングの復元力により上方に付勢されてリールの上軸が上側の軸受に挿入されるとともに、リールが上方に付勢された状態で支持されることによりケーシングの上面部内側とリールの上部との間に設けられるブレーキシューが圧接される。これにより、フィルム保持部のリールは、ケーシングの上下に設けられた軸受に支持された状態とされる一方、リールに回転抵抗が与えられ、合成樹脂フィルムは常にぴんと張った状態で巻き取られる。また、逆転阻止機能を有し巻取りリールを合成樹脂フィルムの巻取り方向に回転させる回転伝達機構を備えるから、巻取りリールが逆転してしまうことがなく、巻取り後にも合成樹脂フィルムは常にぴんと張った状態を維持する。
【０００８】
請求項２の筆記用ボードによれば、吸気装置の作動によって吸気チャンバーから空気が吸引されると、基板が多孔質板から形成されているため、合成樹脂フィルムが基板に吸着して固定される。
【０００９】
【発明の効果】
以上述べたように、本発明の筆記用ボードによれば、筆記された文字等の全体を消去するには新たな合成樹脂フィルムを引き出して基板に宛がわれるようにすればよいから、その手間が簡単であり、また、常に新しい合成樹脂フィルムが筆記のために供されるから、常に良好な書き味が維持される。また、ブレーキシューを設けるとともに、逆転阻止機能を有する回転伝達機構を備えるから、合成樹脂フィルムを順次巻取ってゆく構成でありながら、常に合成樹脂フィルムをぴんと張った状態に保持しておくことができ、筆記時に合成樹脂フィルムがしわになって書き難くなることを防止できる。
さらに、請求項２の筆記用ボードでは合成樹脂フィルムが基板に確実に固定されるから、薄くて柔軟な合成樹脂フィルムを使用した場合でも、筆記時に合成樹脂フィルムがしわになることがなく、筆記し易くなるという効果が得られる。
【００１０】
【実施例】
＜第１実施例＞
以下、本発明を具体化した第１実施例を図１ないし図４を参照して説明する。全体的構成は図１に示す通りで、基板１１は例えば木製の板にて背面を開放した偏平な箱形に形成されるとともに、底面に設けた一対の脚１２にて床面上に支持されており、その前面には白色で平滑なコーティングが施されている。基板１１の左側縁部にはフィルム保持部２０が設けられるとともに、右側縁部にはフィルム巻取り部４０が設けられ、フィルム保持部２０から引き出された帯状の樹脂フィルム６０が基板１１の前面を覆うように宛がわれている。この樹脂フィルム６０は、例えばポリ塩化ビニル或いはポリ塩化ビニリデン等の透明な合成樹脂からなっており、このため基板１１の白色前面が透けて見えるようになっている。なお、樹脂フィルム６０の右端側はフィルム巻取り部４０内に導入されるとともに、基板１１の前面において樹脂フィルム６０の上下側縁部は基板１１の前面上下側縁部に設けた化粧枠１３により覆われている。
【００１１】
フィルム保持部２０は、図２及び図３に示す通りで、縦長のケーシング２１内に前記樹脂フィルム６０を巻回したリール２２を収納してなり、ケーシング２１の開放された前面及び側面にはヒンジ２１ａを介してカバー２３が開閉回動可能に取り付けられている。図３に示すように、ケーシング２１の上面部にはリール２２の上軸２４を受けるための軸受２５が設けられ、底面部にはリール２２の下軸２６を受けるためのスラスト軸受２７が設けられている。このスラスト軸受２７は円筒形の軸ホルダ２８に円柱状の軸受メタル２９を上下動可能に挿入し、その軸受メタル２９をコイルスプリング３０にて常時上方に付勢した構成で、軸受メタル２９の上端面部に形成した摺り鉢状の軸受孔３１にてリール２２の下軸２６を受けるようになっている。そして、図３に示すように上下の軸受２５，２７にてリール２２を回転自在に支持した状態では、リール２２の上端板２２ａがケーシング２１の上面部内側に設けた環状のブレーキシュー３２に押し付けられるようになっており、これにてリール２２の回転に対し抵抗を付与して樹脂フィルム６０の緩みを防止するようになっている。なお、リール２２の下軸２６の下端面は球面状に加工されており、リール２２の装着時には、コイルスプリング３０を圧縮させながら軸受メタル２９を押し下げることにより、リール２２の下軸２６を軸受メタル２９に嵌合させ得る。
【００１２】
一方、フィルム巻取り部４０は、図２及び図４に示すようであり、やはり縦長のケーシング４１内に樹脂フィルム６０の先端側を巻回する巻取りリール４２が収納されており、ケーシング４１の開放された前面及び側面はカバー４３によって開閉可能となっている。ケーシング４１の底面部には巻取りリール４２の下軸４４を受けるスラスト軸受４５が設けられており、このスラスト軸受４５は前記フィルム保持部２０のものと同様で、円筒形の軸ホルダ４６に挿入した円柱状の軸受メタル４７をコイルスプリング４８にて常時上方に付勢した構成で、軸受メタル４７の上端面部に形成した摺り鉢状の軸受孔４９にて巻取りリール４２の下軸４４が受けられている。
【００１３】
また、ケーシング４１の上面部には軸受５０を介して回転軸５１が回転可能かつ上下移動不能に支持され、その回転軸５１の上部にウォームホイル５２が固着され、下部に軸ジョイント５３が固着されている。この軸ジョイント５３には巻取りリール４２の上軸５４に取り付けた軸ジョイント５５が係合するようになっており、図５に示す巻取りリール４２の装着状態では、スラスト軸受４５のコイルスプリング４８からの押し上げ力によって両軸ジョイント５５，５３が噛み合い係合して巻取りリール４２がウォームホイル５２と一体回転するようになっている。
【００１４】
そして、上記ケーシング４１の上部には巻取り用モータ５６が配置され、図５に示すように、その駆動軸５６ａに設けたウォームギヤ５７が前記ウォームホイル５２と噛合しており、巻取り用モータ５６の回転によって巻取りリール４２を回転させて樹脂フィルム６０を巻取りリール４２に巻取ることができるようになっている。なお、この巻取り用モータ５６は、基板１１の前面下部に設けた操作スイッチ５８をオン操作している間だけ駆動されて巻取りリール４２を回転させるようになっている。
【００１５】
続いて、本実施例の筆記用ボードの使用方法について説明する。まず、フィルム保持部２０のカバー２３を開放し、樹脂フィルム６０を巻回したリール２２を軸受２５，２７に装着し、樹脂フィルム６０の先端を引き出しておく。そして、樹脂フィルム６０の上下両側縁部を基板１１の化粧枠１３内に挿入した状態で、基板１１の全域を覆うようにこれを引き出す。そして、フィルム巻取り部４０側のカバー４３を開けて樹脂フィルム６０の先端を巻取りリール４２に巻き付けておき、両カバー２３，４３を閉める。この状態で、操作スイッチ５８をオン操作すると、巻取りモータ５６が駆動されて巻取りリール４２が回転し、樹脂フィルム６０がフィルム保持部２０側からフィルム巻取り部４０側に移動して巻取られる。このとき、フィルム保持部２０のリール２２にはブレーキシュー３２によって回転抵抗が付与されているから、樹脂フィルム６０は常にぴんと張った状態で巻取られる。また、巻取りモータ５６と巻取りリール４２とはウォームホイル５２とウォームギヤ５７との組み合わせによって回転伝達する構成であって、巻取りリール４２側からモータ５６側に回転力は伝達されないから、巻取りモータ５６の断電後に同モータ５６が逆転してしまうことがなく、巻取り後にも樹脂フィルム６０は常にぴんと張った状態を維持する。
【００１６】
そこで、例えば水性インクを使用したフェルトペン等の筆記具７０（図１参照）にて樹脂フィルム６０上に筆記すれば、樹脂フィルム６０に所望の文字等を描くことができる。これらの文字等を部分的に消去するには、例えば筆記具７０の端部に設けたフェルト製のイレイザー部７１にて消去部分を擦ればよい。また、全体を消去するには、操作スイッチ５８をオン操作して文字等が書かれた部分がフィルム巻取り部４０内に巻取られるまで、樹脂フィルム６０を巻取れば良い。これにて新しい樹脂フィルム６０がフィルム保持部２０のリール２２から引き出されて基板１１前面を覆うようになるから、既に書かれた部分が消去されて白紙の状態になり、従来のホワイトボード等のようにイレイザーにて全域を擦って文字等を消さなくともよい。
【００１７】
また、リール２２に巻回された樹脂フィルム６０が全て引き出された場合には、リール２２及び巻取りリール４２を取り外し、未使用の樹脂フィルム６０が巻回されたリール２２と空の巻取りリール４２を再び装着すれば、新品同様に使用することができ、長期間使用しても基板１１の経時劣化等による品質の低下は全く生ぜず、また、樹脂フィルム６０の交換が非常に簡単である。
【００１８】
さらに、特に本実施例では、リール２２に回転抵抗を付与するブレーキシュー３２を設けるとともに、巻取りリール４２への回転伝達機構として逆転阻止機能があるウォームホイル５２とウォームギヤ５７との組合わせを採用しているから、樹脂フィルム６０を順次巻取ってゆく構成でありながら、常に樹脂フィルム６０をぴんと張った状態に保持しておくことができ、筆記具７０による筆記時に樹脂フィルム６０がしわになって書き難くなることを防止できる。
【００１９】
＜第２実施例＞
図６は本発明の第２実施例を示す。基板８０の前面に多孔質板８１を配置するとともに、基板８０の裏面に吸気チャンバー８２を設け、この吸気チャンバー８２に耐圧チューブ８３を介して吸気装置８４を連通させたところが前記第１実施例と相違し、その他の構造は前記第１実施例と同様であって同一部分には同一符号を付して重複する説明を省略する。
【００２０】
多孔質板８１は、例えばポリプロピレン等の熱可塑性プラスチックの粉末を成形型内に充填して加熱することにより焼結状態としたもので、内部に無数の連続気孔を有して通気性を有し、しかし表面は筆記の妨げにならない程度に平滑面となっている。また、吸気チャンバー８２は多孔質板８１の裏側にスペーサ８５を介して遮蔽板８６を気密状態に取り付けて構成され、その遮蔽板８６を貫通してニップル８７が取り付けられている。そのニップル８７には耐圧チューブ８３が連結され、その耐圧チューブ８３の先端が真空ポンプにて構成した吸気装置８４に連結されている。
【００２１】
この実施例の構成によれば、吸気装置８４を作動させることにより吸気チャンバー８２内が減圧されるから、多孔質板８１に宛がった樹脂フィルム６０はその多孔質板８１に吸着され、樹脂フィルム６０は多孔質板８１上にぴったりと固定される。これにより、樹脂フィルム６０の膜厚が薄く柔軟であったとしても、樹脂フィルム６０が筆記時にずれ動くことを確実に防止でき、硬質板の上に直接筆記する場合と同様な優れた書き味が得られる。
【００２２】
なお、操作スイッチ５８をオン操作して樹脂フィルム６０を巻取る場合には、吸気装置８４の作動を停止するようにしてあるから、樹脂フィルム６０の多孔質板８１への吸着力が消失し、なんら問題なく樹脂フィルム６０の巻取りを行うことができる。
【００２３】
＜第３実施例＞
図７は本発明を簡易型の筆記ボードに適用した第３実施例を示す。
【００２４】
基板９１は例えば白色のプラスチック製で、例えばＡ４サイズの偏平な箱型をなし、表面は平滑となっている。基板９１の上部にはカバー９２によって全体を開放可能なフィルム保持部９３が設けられ、ここに紙製筒９４に巻回した樹脂フィルム９５が収容されている。この樹脂フィルム９５は、家庭用の食品ラッピングフィルムとして市販されているものをそのまま使用しており、例えばポリ塩化ビニリデンを主成分として自己粘着性を有し、従って基板９１の平滑面にぴったりと密着する。
【００２５】
同図に実線で示すようにカバー９２を閉じた状態では、カバー９２の先端部が基板９１の表面との間に僅かな隙間を形成し、ここから樹脂フィルム９５を下向きに引き出すことができる。引き出された樹脂フィルム９５の先端側は基板９１の下部まで延ばされ、基板９１表面の全域を覆っている。そして、基板９１の下端部にはフィルムカッター９６が固定されており、ここに樹脂フィルム９５を押し付けることにより切断することができる。
【００２６】
使用に当たっては、図示しない筆記具によって樹脂フィルム９５上に文字等を描く、このとき樹脂フィルム９５は自己粘着力によって基板９１に密着しているから、ずれ動く心配はない。文字等を消去したい場合には、樹脂フィルム９５の下端を左右両側から摘んで持ち上げ、基板９１から離して引き下げる。すると、樹脂フィルム９５がフィルム保持部９３から引き出されるから、適宜長さ引き出されたところで樹脂フィルム９５を基板９１上に降ろして密着させ、更に基板９１から下方に引き出された部分をフィルムカッター９６に圧し当てれば、不要部分が切断されることになる。なお、樹脂フィルム９５の基板９１からの引き剥しを容易にするためには、基板９１の左右両側に指を挿入するための凹部を形成しておいてもよい。
【００２７】
この構成では、全体の構成が極めて簡単で安価に製造でき、また、容易に入手可能な樹脂フィルムを利用することができてメンテナンスも簡単になるという効果が得られる。
【００２８】
＜他の実施例＞
本発明は上記記述及び図面によって説明した各実施例に限定されるものではなく、例えば次のような実施態様も本発明の技術的範囲に含まれる。
【００３０】
（２）第１及び第２実施例において、フィルム巻取り部側に樹脂フィルム６０の幅方向全体を挟むようにＬＥＤアレイ等の線状光源と一次元イメージセンサを設け、樹脂フィルム６０を透過する光の量にて樹脂フィルム上に描かれた文字等を光学的に読み取って電気信号に変換し、これに基づいてコンピュータにて画像処理して画像信号を通信回線を介して遠隔地に伝送したり、ディスプレイ上に表示したり、或いは記録紙に印刷したりするようにしても良い。
【００３１】
（３）第２実施例において、樹脂フィルム６０の巻取り時には、吸気装置８４の吐出側を弁の切り換えによって吸気チャンバー８２に連通させる構成として多孔質板８１から表面側に向けて空気を吹き出させるようにしてもよい。このようにすると、樹脂フィルム６０が多孔質板８１から直ちに浮き上がるようになるから、樹脂フィルム６０の巻取り動作を円滑に行うことができる。
【００３２】
（４）第１ないし第３の各実施例において、基板を例えば乳白色の半透明プラスチック板により形成し、その裏側にバックライト光源を配置して樹脂フィルムの裏側から光を当てる構成としても良く、これによれば前面からの光量が不足する場所でも明瞭に視認できるという利点が得られる。
【００３３】
その他、フィルムとしては例えば硬質の樹脂フィルムを利用しても良く、また基板のサイズはいわゆる黒板形の大形のものから、掲示板や立て看板形の中形のもの、或いは携帯用の小形のものまで所望なサイズとすることができ、また樹脂フィルムの引き出し方向は縦方向でも横方向でも任意に設定できる等、要旨を逸脱しない範囲で種々変更して実施することができる。
【図面の簡単な説明】
【図１】本発明の第１実施例を示す全体の斜視図
【図２】同実施例の拡大横断面図
【図３】同実施例のフィルム保持部を示す縦断面図
【図４】同実施例のフィルム巻取り部を示す縦断面図
【図５】同実施例のフィルム巻取り部を示す平面図
【図６】本発明の第２実施例を示す拡大横断面図
【図７】本発明の第３実施例を示す一部破断斜視図
【符号の説明】
１１，８０，９１…基板
２０…フィルム保持部
２２…リール
３２…ブレーキシュー
５２…ウォームホイル
５７…ウォームギヤ
５８…操作スイッチ
６０，９５…樹脂フィルム
７０…筆記具
８１…多孔質板
８２…吸気チャンバー
８４…吸気装置
【図１】
0003575067.tif 000002
【図２】
0003575067.tif 000003
【図３】
0003575067.tif 000004
【図４】
0003575067.tif 000005
【図５】
0003575067.tif 000006
【図６】
0003575067.tif 000007
【図７】
0003575067.tif 000008